(57)【要約】  断熱容器（１）は、箱状の外ケース（８）、箱状の内ケース（９）、閉塞体（１０）、真空断熱材（１１）及び発泡断熱材（１２）を備える。外ケース（８）に貫通孔（１３）が形成される。真空断熱材（１１）は、外ケース（８）及び内ケース（９）の間に配置される。発泡断熱材（１２）は、例えば真空断熱材（１１）及び外ケース（８）の間に設けられる。貫通孔（１３）から発泡断熱材（１２）が視認可能である。断熱容器（１）であれば、真空断熱材（１１）を所望の位置で支持でき、且つ断熱性の低下を抑制できる。
2017208331.tif 000002
【特許請求の範囲】
【請求項１】
貫通孔が形成された箱状の外ケースと、
前記外ケースの内側に配置された箱状の内ケースと、
前記外ケースの縁及び前記内ケースの縁の間に設けられた閉塞体と、
前記外ケース及び前記内ケースの間に配置された真空断熱材と、
前記真空断熱材及び前記外ケースの間に設けられた発泡断熱材と、
を備え、
前記外ケースは、
第１平板と、
前記第１平板の縁に設けられた第１筒体と、
を備え、
前記内ケースは、
第２平板と、
前記第２平板の縁に設けられ、前記第１筒体の内側に配置された第２筒体と、
を備え、
前記真空断熱材は、前記第１平板と前記第２平板との間及び前記第１筒体と前記第２筒体との間に配置され、
前記貫通孔から前記発泡断熱材が視認可能な断熱容器。
【請求項２】
箱状の外ケースと、
前記外ケースの内側に配置された箱状の内ケースと、
前記外ケースの縁及び前記内ケースの縁の間に設けられ、貫通孔が形成された閉塞体と、
前記外ケース及び前記内ケースの間に配置された真空断熱材と、
前記真空断熱材及び前記外ケースの間に設けられた発泡断熱材と、
を備え、
前記外ケースは、
第１平板と、
前記第１平板の縁に設けられた第１筒体と、
を備え、
前記内ケースは、
第２平板と、
前記第２平板の縁に設けられ、前記第１筒体の内側に配置された第２筒体と、
を備え、
前記真空断熱材は、前記第１平板と前記第２平板との間及び前記第１筒体と前記第２筒体との間に配置され、
前記貫通孔から前記発泡断熱材が視認可能な断熱容器。
【請求項３】
前記外ケースに第２貫通孔が形成され、
前記第２貫通孔から前記発泡断熱材が視認可能な請求項２に記載の断熱容器。
【請求項４】
前記発泡断熱材は、前記真空断熱材と前記内ケースとの間にも設けられた請求項１から請求項３の何れか一項に記載の断熱容器。
【請求項５】
前記真空断熱材は、
第１真空断熱板と、
前記第１真空断熱板側を向く縁が前記第１真空断熱板との間に隙間を空けて配置された第２真空断熱板と、
前記第１真空断熱板の一部、前記隙間及び前記第２真空断熱板の前記縁と前記外ケースとの間に配置された第３真空断熱板と、
を備えた請求項１から請求項４の何れか一項に記載の断熱容器。
【請求項６】
箱状の外ケースと、
前記外ケースの内側に配置され、貫通孔が形成された箱状の内ケースと、
前記外ケースの縁及び前記内ケースの縁の間に設けられた閉塞体と、
前記外ケース及び前記内ケースの間に配置された真空断熱材と、
前記真空断熱材及び前記内ケースの間に設けられた発泡断熱材と、
を備え、
前記外ケースは、
第１平板と、
前記第１平板の縁に設けられた第１筒体と、
を備え、
前記内ケースは、
第２平板と、
前記第２平板の縁に設けられ、前記第１筒体の内側に配置された第２筒体と、
を備え、
前記真空断熱材は、前記第１平板と前記第２平板との間及び前記第１筒体と前記第２筒体との間に配置され、
前記貫通孔から前記発泡断熱材が視認可能な断熱容器。
【請求項７】
前記真空断熱材は、
第１真空断熱板と、
前記第１真空断熱板側を向く縁が前記第１真空断熱板との間に隙間を空けて配置された第２真空断熱板と、
前記第１真空断熱板の一部、前記隙間及び前記第２真空断熱板の前記縁と前記内ケースとの間に配置された第３真空断熱板と、
を備えた請求項６に記載の断熱容器。
【請求項８】
前記貫通孔に前記発泡断熱材が配置された請求項１から請求項７の何れか一項に記載の断熱容器。
【請求項９】
前記貫通孔は、前記発泡断熱材によって塞がれた請求項１から請求項７の何れか一項に記載の断熱容器。
【請求項１０】
前記第１平板は四角形状であり、
前記第１筒体は、第３平板と前記第３平板に平行な第４平板と前記第３平板及び前記第４平板の間に設けられた第５平板と前記第５平板に平行な第６平板とを備え、
前記第２平板は四角形状であり、
前記第２筒体は、第７平板と前記第７平板に平行な第８平板と前記第７平板及び前記第８平板の間に設けられた第９平板と前記第９平板に平行な第１０平板とを備え、
前記真空断熱材は、前記第３平板と前記第７平板との間、前記第４平板と前記第８平板との間、前記第５平板と前記第９平板との間及び前記第６平板と前記第１０平板との間に配置された請求項１から請求項９の何れか一項に記載の断熱容器。
【発明の詳細な説明】
【技術分野】
【０００１】
この発明は、真空断熱材を備えた断熱容器に関する。
【背景技術】
【０００２】
特許文献１に冷蔵庫が記載されている。特許文献１に記載された冷蔵庫は、真空断熱材を備える。真空断熱材は、符号ｋ１で示される多数の固定部材によって支持される。
【先行技術文献】
【特許文献】
【０００３】
【特許文献１】日本特開２０１１−２３７０８７号公報
【発明の概要】
【発明が解決しようとする課題】
【０００４】
特許文献１に記載された冷蔵庫では、真空断熱材が棒状の固定部材によって支持される。真空断熱材は、例えばガラス繊維とフィルムとを備える。ガラス繊維は、フィルムによって覆われる。ガラス繊維を包むフィルムの熱伝導率はガラス繊維の熱伝導率より高い。このため、真空断熱材を棒状の固定部材で支持すると、熱がフィルムと固定部材とを伝わり、断熱性が低下するといった問題があった。【０００５】
この発明は、上述のような課題を解決するためになされた。この発明の目的は、真空断熱材を所望の位置で支持でき、且つ断熱性の低下を抑制できる断熱容器を提供することである。
【課題を解決するための手段】
【０００６】
この発明に係る断熱容器は、貫通孔が形成された箱状の外ケースと、外ケースの内側に配置された箱状の内ケースと、外ケースの縁及び内ケースの縁の間に設けられた閉塞体と、外ケース及び内ケースの間に配置された真空断熱材と、真空断熱材及び外ケースの間に設けられた発泡断熱材と、を備える。外ケースは、第１平板と、第１平板の縁に設けられた第１筒体と、を備える。内ケースは、第２平板と、第２平板の縁に設けられ、第１筒体の内側に配置された第２筒体と、を備える。真空断熱材は、第１平板と第２平板との間及び第１筒体と第２筒体との間に配置される。貫通孔から発泡断熱材が視認可能である。【０００７】
この発明に係る断熱容器は、箱状の外ケースと、外ケースの内側に配置された箱状の内ケースと、外ケースの縁及び内ケースの縁の間に設けられ、貫通孔が形成された閉塞体と、外ケース及び内ケースの間に配置された真空断熱材と、真空断熱材及び外ケースの間に設けられた発泡断熱材と、を備える。外ケースは、第１平板と、第１平板の縁に設けられた第１筒体と、を備える。内ケースは、第２平板と、第２平板の縁に設けられ、第１筒体の内側に配置された第２筒体と、を備える。真空断熱材は、第１平板と第２平板との間及び第１筒体と第２筒体との間に配置される。貫通孔から発泡断熱材が視認可能である。【０００８】
この発明に係る断熱容器は、箱状の外ケースと、外ケースの内側に配置され、貫通孔が形成された箱状の内ケースと、外ケースの縁及び内ケースの縁の間に設けられた閉塞体と、外ケース及び内ケースの間に配置された真空断熱材と、真空断熱材及び内ケースの間に設けられた発泡断熱材と、を備える。外ケースは、第１平板と、第１平板の縁に設けられた第１筒体と、を備える。内ケースは、第２平板と、第２平板の縁に設けられ、第１筒体の内側に配置された第２筒体と、を備える。真空断熱材は、第１平板と第２平板との間及び第１筒体と第２筒体との間に配置される。貫通孔から発泡断熱材が視認可能である。
【発明の効果】
【０００９】
この発明に係る断熱容器は、箱状の外ケースと箱状の内ケースと外ケースの縁及び内ケースの縁の間に設けられた閉塞体とを備える。外ケース及び内ケースの間に真空断熱材が配置される。また、外ケース、内ケース又は閉塞体に貫通孔が形成される。貫通孔から発泡断熱材が視認可能である。この発明に係る断熱容器であれば、真空断熱材を所望の位置で支持でき、且つ断熱性の低下を抑制できる。
【図面の簡単な説明】
【００１０】
【図１】この発明の実施の形態１における断熱容器の例を示す斜視図である。
【図２】収納棚の例を示す図である。
【図３】容器の断面を示す図である。
【図４】容器の分解斜視図である。
【図５】真空断熱板の例を示す斜視図である。
【図６】図５のＣ−Ｃ断面を示す図である。
【図７】図１のＢ−Ｂ断面の一部を示す図である。
【図８】図７のＤ−Ｄ断面の一例を示す図である。
【図９】図７のＤ−Ｄ断面の他の例を示す図である。
【図１０】図７のＤ−Ｄ断面の他の例を示す図である。
【図１１】真空断熱材の他の配置例を示す図である。
【図１２】真空断熱材の他の配置例を示す図である。
【図１３】真空断熱材の他の配置例を示す図である。
【図１４】貫通孔を形成する位置の他の例を示す図である。
【図１５】貫通孔を形成する位置の他の例を示す図である。
【図１６】貫通孔を形成する位置の他の例を示す図である。
【図１７】貫通孔を形成する位置の他の例を示す図である。
【図１８】真空断熱板の他の例を示す図である。
【図１９】真空断熱板の他の例を示す図である。
【図２０】この発明の実施の形態１における断熱容器の他の例を示す斜視図である。
【発明を実施するための形態】
【００１１】
添付の図面を参照し、本発明を説明する。重複する説明は、適宜簡略化或いは省略する。各図において、同一の符号は同一の部分又は相当する部分を示す。
【００１２】
実施の形態１．
図１は、この発明の実施の形態１における断熱容器１の例を示す斜視図である。断熱容器１は、容器２、蓋３及び収納棚４を備える。
【００１３】
容器２は、箱状である。図１は、容器２の外形が直方体形状である例を示す。容器２の外形は図１に示す例に限定されない。例えば、容器２の外形は円柱形状でも良い。
【００１４】
蓋３は、容器２に形成された開口を塞ぐ。蓋３は、例えば容器２に着脱可能である。蓋３が容器２に取り付けられると、容器２の内側に形成された空間が密閉される。
【００１５】
収納棚４は、容器２の内部に配置される。蓋３は、収納棚４が容器２に入れられた状態で容器２に取り付けられる。図１は、２つの収納棚４が容器２に収容される例を示す。
【００１６】
図２は、収納棚４の例を示す図である。収納棚４は、例えば枠５及び仕切り６を備える。枠５の外形は、容器２の内側の形状に合わせられる。図１及び図２は、正面から見た枠５の外形が四角形である例を示す。仕切り６は枠５に固定される。枠５の内側に形成された空間は仕切り６によって仕切られる。図１及び図２は、仕切り６が格子状である例を示す。仕切り６によって仕切られた空間に物品７が配置される。断熱容器１は、物品７の温度を一定に保つために利用される。
【００１７】
以下においては、物品７がワクチン製剤を含む例を示す。ワクチン製剤は、例えば専用の入れ物に入れられる。ワクチン製剤が入れられた入れ物は、緩衝材等に包まれる。この例であれば、物品７はワクチン製剤、入れ物及び緩衝材を含む。ワクチン製剤の入れ物は、ワクチン接種を行う際に使用される注射器の一部でも良い。
【００１８】
例えば、発展途上国では、拠点等においてワクチン製剤を含む物品７が断熱容器１に入れられ、モータバイク等によってワクチンの接種会場に運ばれる。ワクチン製剤を保管する温度は例えば２℃から８℃でなければならない。断熱容器１に入れられた物品７を上記温度範囲で保管できる時間が長いほど、拠点からの一回の出動によってより多くの会場にワクチン製剤を届けることができる。例えば、発展途上国では、物品７を数日間上記温度範囲で保管できることが望ましい。
【００１９】
なお、物品７はワクチン製剤を含むものに限定されない。断熱容器１をコールドチェーンにおいて利用しても良い。かかる場合、物品７は、生鮮食品、冷凍食品、医薬品或いは電子部品等を含んでも良い。
【００２０】
図３は、容器２の断面を示す図である。図３は、図１に示すＡ−Ａ断面に相当する図である。容器２は、例えば外ケース８、内ケース９、閉塞体１０、真空断熱材１１及び発泡断熱材１２を備える。図４は、容器２の分解斜視図である。図４では、発泡断熱材１２の図示を省略している。
【００２１】
外ケース８は箱状である。外ケース８の開口は上方を向く。外ケース８に貫通孔１３が形成される。図４は、外ケース８に８つの貫通孔１３が形成される例を示す。貫通孔１３の数は、図４に示す例に限定されない。例えば、貫通孔１３は１つしか形成されなくても良い。貫通孔１３は、容器２を製造する際に発泡断熱材１２が注入される孔である。
【００２２】
外ケース８は、平板１４と筒体１５とを備える。筒体１５は、平板１４の縁に設けられる。筒体１５は、平板１４の縁から上方に延びるように配置される。図４に示す例では、平板１４は四角形状である。具体的に、平板１４は長方形状である。平板１４に平行な筒体１５の断面は長方形状である。筒体１５は、下端が平板１４の縁に設けられる。
【００２３】
筒体１５は、例えば平板１６、平板１７、平板１８及び平板１９を備える。外ケース８のみを考慮すると、平板１７は平板１６に対向する。図４に示す例では、平板１７は平板１６に平行である。平板１８は、平板１６と平板１７との間に設けられる。図４に示す例では、平板１８は平板１６に直交する。平板１９は、平板１６と平板１７との間に設けられる。外ケース８のみを考慮すると、平板１９は平板１８に対向する。図４に示す例では、平板１９は平板１８に平行である。また、平板１９は、平板１６に直交する。
【００２４】
内ケース９は箱状である。内ケース９は、外ケース８の内側に配置される。内ケース９の開口は上方を向く。
【００２５】
内ケース９は、平板２０と筒体２１とを備える。外ケース８及び内ケース９のみを考慮すると、平板２０は平板１４に対向する。図３及び図４に示す例では、平板２０は平板１４に平行である。筒体２１は、平板２０の縁に設けられる。筒体２１は、平板２０の縁から上方に延びるように配置される。筒体２１は、筒体１５の内側に配置される。図４に示す例では、平板２０は四角形状である。具体的に、平板２０は長方形状である。平板２０に平行な筒体２１の断面は長方形状である。筒体２１は、下端が平板２０の縁に設けられる。
【００２６】
筒体２１は、例えば平板２２、平板２３、平板２４及び平板２５を備える。容器２に何も入れられていなければ、平板２３は平板２２に対向する。図４に示す例では、平板２３は平板２２に平行である。外ケース８及び内ケース９のみを考慮すると、平板２２は平板１６に対向する。平板２２は平板１６に平行である。また、平板２３は平板１７に対向する。平板２３は平板１７に平行である。
【００２７】
平板２４は、平板２２と平板２３との間に設けられる。図４に示す例では、平板２４は平板２２に直交する。平板２５は、平板２２と平板２３との間に設けられる。容器２に何も入れられていなければ、平板２５は平板２４に対向する。図４に示す例では、平板２５は平板２４に平行である。また、平板２５は、平板２２に直交する。外ケース８及び内ケース９のみを考慮すると、平板２４は平板１８に対向する。平板２４は平板１８に平行である。また、平板２５は平板１９に対向する。平板２５は平板１９に平行である。
【００２８】
閉塞体１０は、外ケース８の縁と内ケース９の縁との間に設けられる。閉塞体１０により、外ケース８の縁と内ケース９の縁との隙間が塞がれる。図４に示す例では、閉塞体１０は四角形の環状である。閉塞体１０は、筒体１５の縁と筒体２１の縁との間に設けられる。閉塞体１０により、筒体１５の縁と筒体２１の縁との隙間が塞がれる。
【００２９】
真空断熱材１１は、外ケース８と内ケース９との間に配置される。真空断熱材１１は、少なくとも、平板１４と平板２０との間並びに筒体１５と筒体２１との間に配置される。図４に示す例では、真空断熱材１１は、真空断熱板２６、真空断熱板２７、真空断熱板２８、真空断熱板２９及び真空断熱板３０を備える。
【００３０】
真空断熱板２６は、平板１４と平板２０との間に配置される。真空断熱板２７は、平板１６と平板２２との間に配置される。真空断熱板２８は、平板１７と平板２３との間に配置される。真空断熱板２９は、平板１８と平板２４との間に配置される。真空断熱板３０は、平板１９と平板２５との間に配置される。したがって、容器２に入れられた物品７は、下方及び四方が真空断熱材１１によって囲まれる。
【００３１】
図５は、真空断熱板２６の例を示す斜視図である。図６は、図５のＣ−Ｃ断面を示す図である。真空断熱板２６は、ガラス繊維３１とフィルム３２とを備える。フィルム３２は、例えば樹脂フィルムである。板状のガラス繊維３１をフィルム３２で覆ったものが真空断熱板２６である。真空断熱板２６を製造する場合は、例えばガラス繊維３１をフィルム３２で覆い、中の空気を吸引して真空度を上げる。所望の真空度が得られたら、フィルム３２の縁を完全に接合する。これにより、真空断熱板２６を得ることができる。真空断熱板２６の熱伝導率は、例えば０．００３［Ｗ／ｍＫ］である。真空断熱板２７から真空断熱板３０の構成は、真空断熱板２６の構成と同様である。
【００３２】
発泡断熱材１２は、外ケース８、内ケース９及び閉塞体１０が組み立てられた後に、外ケース８、内ケース９及び閉塞体１０によって囲まれた空間に貫通孔１３から充填される。発泡断熱材１２が充填される際に、真空断熱材１１は外ケース８と内ケース９との間に既に配置されている。図３は、外ケース８、内ケース９及び閉塞体１０によって囲まれた空間のうち、真空断熱材１１以外の全ての部分に発泡断熱材１２が充填される例を示す。図３に示す例では、発泡断熱材１２の一部は、外ケース８と真空断熱材１１との間に設けられる。発泡断熱材１２の一部は、内ケース９と真空断熱材１１との間に設けられる。発泡断熱材１２の一部は、閉塞体１０と真空断熱材１１との間に設けられる。また、発泡断熱材１２の一部は、隣接する真空断熱板の間に設けられる。
【００３３】
図７は、図１のＢ−Ｂ断面の一部を示す図である。図７では、平板１９に形成された下側の貫通孔１３の位置を破線で示している。例えば、真空断熱板２６の縁２６ａは、真空断熱板２７側を向く。真空断熱板２６は、縁２６ａと真空断熱板２７との間に一定の幅の隙間が空くように配置される。例えば、発泡断熱材１２が充填される前であれば、貫通孔１３は、隣接する真空断熱板の間に形成された隙間に対向する。このような位置に貫通孔１３を形成しておけば、隣接する真空断熱板の隙間に発泡断熱材１２を容易に充填することができる。
【００３４】
上述したように、発泡断熱材１２は貫通孔１３から注入される。このため、発泡断熱材１２は貫通孔１３から視認可能である。図８は、図７のＤ−Ｄ断面の一例を示す図である。図８は、充填された発泡断熱材１２の一例を示す図である。発泡断熱材１２は、外ケース８、内ケース９及び閉塞体１０によって囲まれた空間のみに配置されても良い。図９は、図７のＤ−Ｄ断面の他の例を示す図である。図９に示すように、発泡断熱材１２は、一部が貫通孔１３に配置されても良い。図１０は、図７のＤ−Ｄ断面の他の例を示す図である。図１０に示すように、発泡断熱材１２によって貫通孔１３が塞がれても良い。かかる場合、発泡断熱材１２のうち貫通孔１３に配置された部分の表面は、外ケース８の表面と面一であることが好適である。図８から図１０は、発泡断熱材１２を貫通孔１３から注入することによって得られる配置例を示す。
【００３５】
図７は、真空断熱材１１と外ケース８との間及び真空断熱材１１と内ケース９との間の双方に発泡断熱材１２が設けられる例を示す。真空断熱材１１の配置は、図７に示す例に限定されない。図１１、図１２及び図１３は、真空断熱材１１の他の配置例を示す図である。
【００３６】
図１１は、真空断熱材１１が内ケース９に対向する例を示す。図１１に示す例では、真空断熱板２６が内ケース９の平板２０に対向する。真空断熱板２６を平板２０に密着させても良い。発泡断熱材１２は、真空断熱板２６と外ケース８の平板１４との間に設けられる。同様に、真空断熱板２７は内ケース９の平板２２に対向する。真空断熱板２７を平板２２に密着させても良い。発泡断熱材１２は、真空断熱板２７と外ケース８の平板１６との間に設けられる。他の真空断熱板についても同様である。図１１に示す例であれば、必要な真空断熱材１１の量を低減できる。
【００３７】
図１２は、真空断熱材１１が外ケース８に対向する例を示す。図１２に示す例では、真空断熱板２６が外ケース８の平板１４に対向する。真空断熱板２６を平板１４に密着させても良い。発泡断熱材１２は、真空断熱板２６と内ケース９の平板２０との間に設けられる。同様に、真空断熱板２７は外ケース８の平板１６に対向する。真空断熱板２７を平板１６に密着させても良い。発泡断熱材１２は、真空断熱板２７と内ケース９の平板２２と間に設けられる。他の真空断熱板についても同様である。
【００３８】
図１３は、一部の真空断熱材１１が二重に配置される例を示す。例えば、真空断熱材１１は、Ｌ字形状に折れ曲がった真空断熱板３３を更に備える。真空断熱板２６は、図７に示す例と同様に、縁２６ａと真空断熱板２７との間に一定の幅の隙間が空くように配置される。真空断熱板３３は、上記隙間を外ケース８側から覆うように配置される。例えば、真空断熱板３３は、真空断熱板２６の縁２６ａ、上記隙間及び縁２６ａに最も近い真空断熱板２７の縁２７ａと外ケース８との間に配置される。真空断熱板３３は、上記隙間を内ケース９側から覆うように配置されても良い。例えば、真空断熱板３３は、真空断熱板２６の縁２６ａ、上記隙間及び真空断熱板２７の縁２７ａと内ケース９との間に配置される。図１３に示す例であれば、真空断熱板２６と真空断熱板２７との隙間からの熱漏洩を抑制できる。真空断熱板が隣接する他の部分についても、真空断熱材１１を二重に配置しても良い。
【００３９】
図４は、外ケース８の筒体１５に貫通孔１３が形成される例を示す。貫通孔１３を形成する位置は、図４に示す例に限定されない。図１４、図１５、図１６及び図１７は、貫通孔１３を形成する位置の他の例を示す図である。
【００４０】
図１４は、外ケース８に備えられた各平板の中央部に貫通孔１３が形成される例を示す。貫通孔１３は、外ケース８に備えられた一部の平板に形成されても良い。図１４に示す例は、図１１に示すように真空断熱材１１を内ケース９に対向させる場合に好適である。図１５は、外ケース８に備えられた平板の各境界部に貫通孔１３が形成される例を示す。貫通孔１３は、一部の境界部に形成されても良い。図１５に示す例も、真空断熱材１１を内ケース９に対向させる場合に好適である。図１５に示す例であれば、真空断熱板の縁を発泡断熱材１２で確実に抑えることができる。
【００４１】
図１６は、閉塞体１０に貫通孔１３が形成される例を示す。図１６は、閉塞体１０の四隅に貫通孔１３が形成される例を示す。閉塞体１０に貫通孔１３を形成する場合は、貫通孔１３を外ケース８に更に形成しても良い。例えば、平板１４に貫通孔１３を形成しても良い。
【００４２】
図１７は、内ケース９に備えられた各平板に貫通孔１３が形成される例を示す。貫通孔１３は、内ケース９に備えられた一部の平板に形成されても良い。図１７に示す例は、図１２に示すように真空断熱材１１を外ケース８に対向させる場合に好適である。内ケース９に貫通孔１３を形成する場合は、貫通孔１３を閉塞体１０に更に形成しても良い。また、内ケース９に貫通孔１３を形成する場合は、貫通孔１３を外ケース８に更に形成しても良い。
【００４３】
図１４、図１５、図１６及び図１７に示す例においても、発泡断熱材１２は貫通孔１３から充填される。このため、発泡断熱材１２は貫通孔１３から視認可能である。発泡断熱材１２の一部が貫通孔１３に配置されても良いし、発泡断熱材１２によって貫通孔１３が塞がれても良い。
【００４４】
図５及び図６は、真空断熱板２６がガラス繊維３１とフィルム３２とを備える例を示す。真空断熱板２６は、図５及び図６に示す例に限定されない。例えば、フィルム３２の熱伝導率は、ガラス繊維３１の熱伝導率より高い。また、フィルム３２の熱伝導率は、発泡断熱材１２の熱伝導率より高い。このため、真空断熱板２６は、フィルム３２を介して熱が伝わることを抑制するための手段を更に備えても良い。図１８及び図１９は、真空断熱板２６の他の例を示す図である。
【００４５】
図１８は、真空断熱板２６がガラス繊維３１及びフィルム３２に加え、断熱シート３４を更に備える例を示す。断熱シート３４は、フィルム３２に設けられる。断熱シート３４は、ガラス繊維３１を包み込むフィルム３２を更に包むようにフィルム３２の外側に配置される。例えば、断熱シート３４の熱伝導率は、フィルム３２の熱伝導率より低い。図１８に示す例であれば、フィルム３２を介して熱が伝わることを抑制できる。
【００４６】
図１９は、真空断熱板２６がガラス繊維３１及びフィルム３２に加え、断熱フィルム３５を更に備える例を示す。図１９に示す例では、ガラス繊維３１が２枚のフィルム３２によって上下から覆われる。断熱フィルム３５は、上側のフィルム３２と下側のフィルム３２との間に配置される。断熱フィルム３５が存在するため、上側のフィルム３２と下側のフィルム３２とは直接接触しない。例えば、断熱フィルム３５の熱伝導率は、フィルム３２の熱伝導率より低い。図１９に示す例であれば、フィルム３２を介して熱が伝わることを抑制できる。
【００４７】
図１８に示す例及び図１９に示す例は、真空断熱板２７から真空断熱板３０に適用できる。
【００４８】
本実施の形態に示す断熱容器１では、真空断熱材１１が発泡断熱材１２によって支持される。図７に示す例では、貫通孔１３から注入された発泡断熱材１２が、真空断熱材１１と外ケース８との間及び真空断熱材１１と内ケース９との間の双方に設けられる。また、図１１に示す例では、貫通孔１３から注入された発泡断熱材１２が真空断熱材１１と外ケース８との間に設けられ、発泡断熱材１２によって真空断熱材１１が内ケース９に押し付けられる。図１２に示す例では、貫通孔１３から注入された発泡断熱材１２が真空断熱材１１と内ケース９との間に設けられ、発泡断熱材１２によって真空断熱材１１が外ケース８に押し付けられる。このため、真空断熱材１１を所望の位置で支持でき、且つ断熱性の低下を抑制できる。本実施の形態に示す断熱容器１は、物品７の温度を厳しく管理する必要がある場合、例えば物品７がワクチン製剤を含む場合に好適である。
【００４９】
なお、蓋３も容器２のように真空断熱材を備えることが望ましい。蓋３に冷却機能を備えても良い。冷却機能を備える蓋３と冷却機能を備えていない蓋３との双方が容器２に着脱可能であっても良い。また、蓋３は断熱容器１に必須の要素ではなく、例えば、収納棚４を容器２の内部に配置すると収納棚４の一部が蓋３の機能を備えても良い。
【００５０】
図２０は、この発明の実施の形態１における断熱容器１の他の例を示す斜視図である。図１は、容器２の開口が上向きである例を示す。一方、図２０は、容器２の開口が横向きである例を示す。断熱容器１は、図２０に示すように横向きに使用されるものであっても構わない。
【産業上の利用可能性】
【００５１】
この発明に係る断熱容器は、物品を保温或いは保冷するために利用される。
【符号の説明】
【００５２】
１  断熱容器、  ２  容器、  ３  蓋、  ４  収納棚、  ５  枠、  ６  仕切り、  ７  物品、  ８  外ケース、  ９  内ケース、  １０  閉塞体、  １１  真空断熱材、  １２  発泡断熱材、  １３  貫通孔、  １４  平板（第１平板）、  １５  筒体（第１筒体）、  １６  平板（第３平板）、  １７  平板（第４平板）、  １８  平板（第５平板）、  １９  平板（第６平板）、  ２０  平板（第２平板）、  ２１  筒体（第２筒体）、  ２２  平板（第７平板）、  ２３  平板（第８平板）、  ２４  平板（第９平板）、  ２５  平板（第１０平板）、  ２６  真空断熱板、  ２６ａ  縁、  ２７  真空断熱板、  ２７ａ  縁、  ２８  真空断熱板、  ２９  真空断熱板、  ３０  真空断熱板、  ３１  ガラス繊維、  ３２  フィルム、  ３３  真空断熱板、  ３４  断熱シート、  ３５  断熱フィルム
【図１】
2017208331.tif 000003
【図２】
2017208331.tif 000004
【図３】
2017208331.tif 000005
【図４】
2017208331.tif 000006
【図５】
2017208331.tif 000007
【図６】
2017208331.tif 000008
【図７】
2017208331.tif 000009
【図８】
2017208331.tif 000010
【図９】
2017208331.tif 000011
【図１０】
2017208331.tif 000012
【図１１】
2017208331.tif 000013
【図１２】
2017208331.tif 000014
【図１３】
2017208331.tif 000015
【図１４】
2017208331.tif 000016
【図１５】
2017208331.tif 000017
【図１６】
2017208331.tif 000018
【図１７】
2017208331.tif 000019
【図１８】
2017208331.tif 000020
【図１９】
2017208331.tif 000021
【図２０】
2017208331.tif 000022
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
貫通孔が形成された箱状の外ケースと、
前記外ケースの内側に配置された箱状の内ケースと、
前記外ケースの縁及び前記内ケースの縁の間に設けられた閉塞体と、
前記外ケース及び前記内ケースの間に配置された真空断熱材と、
前記真空断熱材及び前記外ケースの間に設けられた発泡断熱材と、
を備え、
前記外ケースは、
第１平板と、
前記第１平板の縁に設けられた第１筒体と、
を備え、
前記内ケースは、
第２平板と、
前記第２平板の縁に設けられ、前記第１筒体の内側に配置された第２筒体と、
を備え、
前記真空断熱材は、前記第１平板と前記第２平板との間及び前記第１筒体と前記第２筒体との間に配置され、
前記真空断熱材は、
第１真空断熱板と、
前記第１真空断熱板側を向く縁が前記第１真空断熱板との間に隙間を空けて配置された第２真空断熱板と、
前記第１真空断熱板の一部、前記隙間及び前記第２真空断熱板の前記縁と前記外ケースとの間に配置された第３真空断熱板と、
を備え、
前記貫通孔から前記発泡断熱材が視認可能な断熱容器。
【請求項２】
箱状の外ケースと、
前記外ケースの内側に配置された箱状の内ケースと、
前記外ケースの縁及び前記内ケースの縁の間に設けられ、貫通孔が形成された閉塞体と、
前記外ケース及び前記内ケースの間に配置された真空断熱材と、
前記真空断熱材及び前記外ケースの間に設けられた発泡断熱材と、
を備え、
前記外ケースは、
第１平板と、
前記第１平板の縁に設けられた第１筒体と、
を備え、
前記内ケースは、
第２平板と、
前記第２平板の縁に設けられ、前記第１筒体の内側に配置された第２筒体と、
を備え、
前記真空断熱材は、前記第１平板と前記第２平板との間及び前記第１筒体と前記第２筒体との間に配置され、
前記真空断熱材は、
第１真空断熱板と、
前記第１真空断熱板側を向く縁が前記第１真空断熱板との間に隙間を空けて配置された第２真空断熱板と、
前記第１真空断熱板の一部、前記隙間及び前記第２真空断熱板の前記縁と前記外ケースとの間に配置された第３真空断熱板と、
を備え、
前記貫通孔から前記発泡断熱材が視認可能な断熱容器。
【請求項３】
前記外ケースに第２貫通孔が形成され、
前記第２貫通孔から前記発泡断熱材が視認可能な請求項２に記載の断熱容器。
【請求項４】
前記発泡断熱材は、前記真空断熱材と前記内ケースとの間にも設けられた請求項１から請求項３の何れか一項に記載の断熱容器。
【請求項５】
箱状の外ケースと、
前記外ケースの内側に配置され、貫通孔が形成された箱状の内ケースと、
前記外ケースの縁及び前記内ケースの縁の間に設けられた閉塞体と、
前記外ケース及び前記内ケースの間に配置された真空断熱材と、
前記真空断熱材及び前記内ケースの間に設けられた発泡断熱材と、
を備え、
前記外ケースは、
第１平板と、
前記第１平板の縁に設けられた第１筒体と、
を備え、
前記内ケースは、
第２平板と、
前記第２平板の縁に設けられ、前記第１筒体の内側に配置された第２筒体と、
を備え、
前記真空断熱材は、前記第１平板と前記第２平板との間及び前記第１筒体と前記第２筒体との間に配置され、
前記真空断熱材は、
第１真空断熱板と、
前記第１真空断熱板側を向く縁が前記第１真空断熱板との間に隙間を空けて配置された第２真空断熱板と、
前記第１真空断熱板の一部、前記隙間及び前記第２真空断熱板の前記縁と前記内ケースとの間に配置された第３真空断熱板と、
を備え、
前記貫通孔から前記発泡断熱材が視認可能な断熱容器。
【請求項６】
前記貫通孔に前記発泡断熱材が配置された請求項１から請求項５の何れか一項に記載の断熱容器。
【請求項７】
前記貫通孔は、前記発泡断熱材によって塞がれた請求項１から請求項５の何れか一項に記載の断熱容器。
【請求項８】
前記第１平板は四角形状であり、
前記第１筒体は、第３平板と前記第３平板に平行な第４平板と前記第３平板及び前記第４平板の間に設けられた第５平板と前記第５平板に平行な第６平板とを備え、
前記第２平板は四角形状であり、
前記第２筒体は、第７平板と前記第７平板に平行な第８平板と前記第７平板及び前記第８平板の間に設けられた第９平板と前記第９平板に平行な第１０平板とを備え、
前記真空断熱材は、前記第３平板と前記第７平板との間、前記第４平板と前記第８平板との間、前記第５平板と前記第９平板との間及び前記第６平板と前記第１０平板との間に配置された請求項１から請求項７の何れか一項に記載の断熱容器。
【手続補正２】
【補正対象書類名】明細書
【補正対象項目名】０００６
【補正方法】変更
【補正の内容】
【０００６】
この発明に係る断熱容器は、貫通孔が形成された箱状の外ケースと、外ケースの内側に配置された箱状の内ケースと、外ケースの縁及び内ケースの縁の間に設けられた閉塞体と、外ケース及び内ケースの間に配置された真空断熱材と、真空断熱材及び外ケースの間に設けられた発泡断熱材と、を備える。外ケースは、第１平板と、第１平板の縁に設けられた第１筒体と、を備える。内ケースは、第２平板と、第２平板の縁に設けられ、第１筒体の内側に配置された第２筒体と、を備える。真空断熱材は、第１平板と第２平板との間及び第１筒体と第２筒体との間に配置される。真空断熱材は、第１真空断熱板と、第１真空断熱板側を向く縁が第１真空断熱板との間に隙間を空けて配置された第２真空断熱板と、第１真空断熱板の一部、隙間及び第２真空断熱板の縁と外ケースとの間に配置された第３真空断熱板と、を備える。貫通孔から発泡断熱材が視認可能である。
【手続補正３】
【補正対象書類名】明細書
【補正対象項目名】０００７
【補正方法】変更
【補正の内容】
【０００７】
この発明に係る断熱容器は、箱状の外ケースと、外ケースの内側に配置された箱状の内ケースと、外ケースの縁及び内ケースの縁の間に設けられ、貫通孔が形成された閉塞体と、外ケース及び内ケースの間に配置された真空断熱材と、真空断熱材及び外ケースの間に設けられた発泡断熱材と、を備える。外ケースは、第１平板と、第１平板の縁に設けられた第１筒体と、を備える。内ケースは、第２平板と、第２平板の縁に設けられ、第１筒体の内側に配置された第２筒体と、を備える。真空断熱材は、第１平板と第２平板との間及び第１筒体と第２筒体との間に配置される。真空断熱材は、第１真空断熱板と、第１真空断熱板側を向く縁が第１真空断熱板との間に隙間を空けて配置された第２真空断熱板と、第１真空断熱板の一部、隙間及び第２真空断熱板の縁と外ケースとの間に配置された第３真空断熱板と、を備える。貫通孔から発泡断熱材が視認可能である。
【手続補正４】
【補正対象書類名】明細書
【補正対象項目名】０００８
【補正方法】変更
【補正の内容】
【０００８】
この発明に係る断熱容器は、箱状の外ケースと、外ケースの内側に配置され、貫通孔が形成された箱状の内ケースと、外ケースの縁及び内ケースの縁の間に設けられた閉塞体と、外ケース及び内ケースの間に配置された真空断熱材と、真空断熱材及び内ケースの間に設けられた発泡断熱材と、を備える。外ケースは、第１平板と、第１平板の縁に設けられた第１筒体と、を備える。内ケースは、第２平板と、第２平板の縁に設けられ、第１筒体の内側に配置された第２筒体と、を備える。真空断熱材は、第１平板と第２平板との間及び第１筒体と第２筒体との間に配置される。真空断熱材は、第１真空断熱板と、第１真空断熱板側を向く縁が第１真空断熱板との間に隙間を空けて配置された第２真空断熱板と、第１真空断熱板の一部、隙間及び第２真空断熱板の縁と内ケースとの間に配置された第３真空断熱板と、を備える。貫通孔から発泡断熱材が視認可能である。
【国際調査報告】
2017208331.tif 000023
2017208331.tif 000024
2017208331.tif 000025
2017208331.tif 000026